(57)【要約】【課題】画像を合成する機能を有した携帯電話機において、合成処理に際しての演算処理装置の処理負担を低減した携帯電話機を提供する。【解決手段】上側筐体１および下側筐体２には、それぞれ上側表示部１１および下側表示部１２が収められ、上側表示部１１は、透明ディスプレイであり、表示面１１ａは、上側筐体１の第１の面１ａから露出し、表示面１１ｂは、上側筐体１の第２の面１ｂから露出している。携帯電話機１００を閉じた状態で撮像を行い、メイン表示面１２ａに表示された撮像画像を透明ディスプレイ１１を通して視認しながら、透明ディスプレイ１１から文字や記号や図形等の上書き画像を入力することで、撮像画像と上書き画像とを擬似的に合成した状態が得られる。【選択図】図１
2011250165.tif 000002
【特許請求の範囲】
【請求項１】
１の面から表示面が露出するように第１の表示部が収められた第１の筐体と、
第１の面およびそれと反対側の第２の面を有し、前記第２の面を前記第１の筐体側に向けて前記第１の表示部上をスライド可能であって、透明な第２の表示部が収められた第２の筐体と、
前記第１および第２の表示部の表示を制御する制御部と、
少なくとも前記第２の表示部に付加されたタッチパネル機能と、
動画像および静止画像を撮像可能なカメラシステムを含む撮像部と、を備え、
前記第１および第２の筐体は、
前記第２の筐体が前記第１の表示部上をスライドすることによって、
前記第１の筐体が前記第２の筐体で覆われながらも、前記第２の表示部を介して前記第１の表示部を視認可能な閉じた状態と、
前記第２の筐体が前記第１の表示部に重ならず、前記第１の表示部を視認可能な開放した状態とを呈し、
前記制御部は、
前記第１および第２の筐体を閉じた状態で、前記撮像部で撮像された被写体の撮像画像を前記第１の表示部に表示するとともに、前記第２の表示部の前記タッチパネル機能を介して入力された、前記撮像画像と合成すべき上書き画像を前記第２の表示部に表示し、前記第１および第２の筐体を開放するタイミングで前記撮像画像と前記上書き画像との画像合成処理を実行する、携帯電話機。
【請求項２】
前記撮像画像は、
シャッター動作により確定した撮像画像である、請求項１記載の携帯電話機。
【請求項３】
前記制御部は、
前記第１および第２の筐体を開放した状態で、前記撮像画像と前記上書き画像との合成画像を前記第２の表示部に表示する、請求項１または請求項２記載の携帯電話機。
【請求項４】
前記制御部は、
保存指示を受けた場合に、前記第２の表示部に表示された前記合成画像を所定の記憶部に保存する、請求項３記載の携帯電話機。
【請求項５】
前記制御部は、
前記第１および第２の筐体を閉じることで、前記第２の表示部に表示された前記合成画像を消去する、請求項３記載の携帯電話機。
【請求項６】
前記制御部は、
前記第１および第２の筐体を閉じた後、前記第２の表示部に表示された前記合成画像の消去の指示を受けてから前記合成画像を消去する、請求項５記載の携帯電話機。
【請求項７】
前記制御部は、
前記第２の表示部に表示された前記合成画像を消去しない指示を受けた場合、前記合成画像から前記撮像画像を消去して、前記上書き画像のみを前記第２の表示部に表示する、請求項６記載の携帯電話機。
【発明の詳細な説明】
【技術分野】
【０００１】
本発明は、２つの表示部を有する携帯電話機に関する。
【背景技術】
【０００２】
昨今の携帯電話機においては、通信機能や写真撮影機能だけでなく、様々な機能が盛り込まれている。例えば、画面上に表示された装飾画像と、被写体のリアルタイムの撮像画像とを合成して撮影する機能が知られている。
【０００３】
このような機能は、例えば特許文献１に開示のように、取得した撮像画像と、手書き文字や図形などの入力画像とを合成する技術や、特許文献２に開示のように、文字情報を含む文字プレーンと画像情報を含む画像プレーンとを合成して表示する技術により実現される。
【先行技術文献】
【特許文献】
【０００４】
【特許文献１】特開平１０−２００７２７号公報
【特許文献２】特開平５−２８２４１号公報
【発明の概要】
【発明が解決しようとする課題】
【０００５】
以上説明したように、画像を合成する機能を有した従来の携帯電話機においては、例えば、撮像画像のプレーンと絵画のプレーンとを合成する場合には、刻々と更新される撮像画像のプレーンに対して、更新の都度に絵画のプレーンとの間での合成処理が必要となる。このため、例えば、撮像画像と装飾画像のような静止画像を合成する場合には、撮像画像のフレーム単位でプレーン合成が必要となるため、演算処理装置の処理負担が増える。これは、静止画像のプレーンが更新される場合でも同様である。
【０００６】
また、撮像画像の上に、ユーザによる手書き入力を行うような場合には、手書き入力が行われている間も、手書きが進行するごとに合成処理が必要となるため、演算処理装置の処理負担が増えることとなる。
【０００７】
本発明は上記のような問題点を解消するためになされたものであり、画像を合成する機能を有した携帯電話機において、合成処理に際しての演算処理装置の処理負担を低減した携帯電話機を提供することを目的とする。
【課題を解決するための手段】
【０００８】
本発明に係る携帯電話機は、１の面から表示面が露出するように第１の表示部が収められた第１の筐体と、第１の面およびそれと反対側の第２の面を有し、前記第２の面を前記第１の筐体側に向けて前記第１の表示部上をスライド可能であって、透明な第２の表示部が収められた第２の筐体と、前記第１および第２の表示部の表示を制御する制御部と、少なくとも前記第２の表示部に付加されたタッチパネル機能と、動画像および静止画像を撮像可能なカメラシステムを含む撮像部と、を備え、前記第１および第２の筐体は、前記第２の筐体が前記第１の表示部上をスライドすることによって、前記第１の筐体が前記第２の筐体で覆われながらも、前記第２の表示部を介して前記第１の表示部を視認可能な閉じた状態と、前記第２の筐体が前記第１の表示部に重ならず、前記第１の表示部を視認可能な開放した状態とを呈し、前記制御部は、前記第１および第２の筐体を閉じた状態で、前記撮像部で撮像された被写体の撮像画像を前記第１の表示部に表示するとともに、前記第２の表示部の前記タッチパネル機能を介して入力された、前記撮像画像と合成すべき上書き画像を前記第２の表示部に表示し、前記第１および第２の筐体を開放するタイミングで前記撮像画像と前記上書き画像との画像合成処理を実行する。
【発明の効果】
【０００９】
本発明に係る携帯電話機によれば、画像合成処理のための演算処理の回数を削減して、演算処理装置での処理負担を軽減できる。
【図面の簡単な説明】
【００１０】
【図１】本発明に係る実施の形態の携帯電話機の外観を示す斜視図である。
【図２】本発明に係る実施の形態の携帯電話機の外観を示す平面図である。
【図３】本発明に係る実施の形態の携帯電話機の外観を示す平面図である。
【図４】本発明に係る実施の形態の携帯電話機の外観を示す平面図である。
【図５】本発明に係る実施の形態の携帯電話機の電気的な構成を示す図である。
【図６】本発明に係る実施の形態の携帯電話機における画像表示の一例を示す図である。
【図７】本発明に係る実施の形態の携帯電話機における画像表示の一例を示す図である。
【図８】本発明に係る実施の形態の携帯電話機における画像合成機能の第１の使用形態を説明するフローチャートである。
【図９】本発明に係る実施の形態の携帯電話機における画像合成機能の第１の使用形態を説明するための画像表示の一例を示す図である。
【図１０】本発明に係る実施の形態の携帯電話機における画像合成機能の第１の使用形態を説明するための画像表示の一例を示す図である。
【図１１】本発明に係る実施の形態の携帯電話機における画像合成機能の第２の使用形態を説明するフローチャートである。
【図１２】本発明に係る実施の形態の携帯電話機における画像合成機能の第３の使用形態を説明するフローチャートである。
【図１３】本発明に係る実施の形態の携帯電話機における画像合成機能の第３の使用形態を説明するための画像表示の一例を示す図である。
【図１４】本発明に係る実施の形態の携帯電話機における画像合成機能の第３の使用形態を説明するための画像表示の一例を示す図である。
【図１５】本発明に係る実施の形態の携帯電話機における画像合成機能の第３の使用形態を説明するための画像表示の一例を示す図である。
【図１６】本発明に係る実施の形態の携帯電話機における画像合成機能の第４の使用形態を説明するフローチャートである。
【図１７】本発明に係る実施の形態の携帯電話機における画像合成機能の第５の使用形態を説明するフローチャートである。
【図１８】本発明に係る実施の形態の携帯電話機における画像合成機能の第６の使用形態を説明するフローチャートである。
【図１９】本発明に係る実施の形態の携帯電話機における画像合成機能の第６の使用形態を説明するための画像表示の一例を示す図である。
【図２０】本発明に係る実施の形態の携帯電話機における画像合成機能の第６の使用形態を説明するための画像表示の一例を示す図である。
【図２１】本発明に係る実施の形態の携帯電話機における画像合成機能の第６の使用形態を説明するための画像表示の一例を示す図である。
【発明を実施するための形態】
【００１１】
＜携帯電話機の外観＞
図１は本発明の実施の形態に係る携帯電話機１００の外観を示す斜視図である。図１に示されるように、本実施の形態に係る携帯電話機１００は、図示しない連結機構によって互いに連結された下側筐体２（第１の筐体）と上側筐体１（第２も筐体）とを備えている。
【００１２】
上側筐体１は、平面視で略長方形の板状をなしており、互いに対向する第１の面１ａおよび第２の面１ｂを有している。同様に、下側筐体２は、平面視で略長方形の板状をなしており、互いに対向する第１の面２ａおよび第２の面２ｂを有している。
【００１３】
そして、携帯電話機１００では、上側筐体１が、第２の面１ｂを下側筐体２側にして、下側筐体２の下側表示面１２ａ上をＸ軸方向に沿って矢印ＡＲのようにスライドさせることが可能な機構（図示せず）を有しており、上側筐体１で下側筐体２を覆うことができる構成となっている。
【００１４】
下側筐体２にはタッチパネル機能を有する下側表示部１２（第１の表示部）が収められ、上側筐体１にはタッチパネル機能を有する上側表示部１１（第２の表示部）が収められている。なお、下側筐体２の第２の面２ｂからはカメラのレンズ部（図示せず）が露出するように設けられている。
【００１５】
上側表示部１１は、例えば透過型の液晶パネルによって構成され、液晶パネルに対面する部分にバックライトや反射材などを有さない液晶表示装置であり、信号を入力しない状態では透明な状態を維持し、透明ディスプレイと呼称する。上側表示部１１の、長方形の表示面１１ａは、上側筐体１の第１の面１ａから露出し、表示面１１ａと反対側の表示面１１ｂは、上側筐体１の第２の面１ｂから露出している。
【００１６】
下側表示部１２は、例えば透過型の液晶パネルによって構成され、液晶パネルの背面あるいは側面に配置したバックライトによって供給される光の透過、不透過によって表示を行う液晶表示装置であり、長方形の表示面１２ａは、下側筐体２の第１の面２ａから露出している。以後、上側表示部１１を「透明ディスプレイ１１」と呼称し、その表示面１１ａを「表側透過面１１ａ」と呼称し、表示面１１ｂを「裏側透過面１１ｂ」と呼称する場合もある。また、下側表示部１２を「メインディスプレイ１２」と呼称し、その表示面１２ａを「メイン表示面１２ａ」と呼称する場合もある。
【００１７】
また、以下では、図１に示されるように、上側筐体１および下側筐体２の短手方向および長手方向をそれぞれＸ軸方向およびＹ軸方向とし、上側筐体１および下側筐体２の厚み方向をＺ軸方向として説明する。
【００１８】
下側筐体２には図示されない音声出力部および音声入力部が収納されており、音声出力部はスピーカ２０を有しており、音声入力部はマイク２１を有している。スピーカ２０は、下側筐体２の第１の面２ａにおけるＹ方向の一方の端部において露出しており、音声入力部のマイク２１は、下側筐体２の第１の面２ａにおけるＹ方向の他方の端部から露出している。
【００１９】
なお、上側筐体１の第２の面１ｂにおけるＹ方向の両端部には、上側筐体１をスライドさせて下側筐体２を覆った状態で、スピーカ２０およびマイク２１の上部に対応することになる部分に凹部ＲＰ（図１では、マイク２１の上部に対応することになる凹部ＲＰのみを示している）を有している。
【００２０】
何れの凹部ＲＰも、第２の面１ｂだけでなく側面にも及ぶように設けられ、下側筐体２が上側筐体１に覆われた状態でも、スピーカ２０およびマイク２１を介しての通話が可能な構成となっている。なお、音声出力部および音声入力部は下側筐体１に収納しても良く、その場合は、スピーカ２０およびマイク２１は、上側筐体１の第１の面１ａにおいて露出することとなる。また、スピーカ２０およびマイク２１の配設位置は、上記以外の場所でも良い。
【００２１】
なお、下側筐体２には、さらに電源コネクタや複数のハードキーで構成される操作部等も設けられるが、本発明とは関係が薄いので、説明および図示は省略する。
【００２２】
携帯電話機１００は、図示しないスライド機構によって、上側筐体１が下側表示部１２に重ならず、下側表示部１２を視認可能となるような図１に示す上側筐体１と下側筐体２の位置関係および、上側筐体１によって下側筐体２が覆われてはいるが、下側表示部１２が上側筐体１の透明ディスプレイ１１を介して視認可能な、図２に示す上側筐体１と下側筐体２の位置関係を呈することができる。
【００２３】
以後、携帯電話機１００において、上側筐体１が下側表示部１２に重ならない状態を「開放した状態」と呼称し、上側筐体１によって下側筐体２が覆われた状態を「閉じた状態」と呼称する。
【００２４】
図２および図３は、それぞれ携帯電話機１００の閉じた状態および開放した状態を示す平面図である。
【００２５】
図２に示されるように、閉じた状態においては上側筐体１と下側筐体２とが重なっているが、上側表示部１１は透明であるので、上側表示部１１を介して下側表示部１２のメイン表示面１２ａが視認可能となっている。なお、カメラのシャッターボタンＢＴが上側筐体１の上側端面に設けられる構成となっているが、シャッターボタンＢＴの位置はこれに限定されるものではなく、また、下側筐体２に設けても良い。
【００２６】
また、図３に示されるように、開放した状態においては上側筐体１が下側表示部１２に重ならず、下側表示部１２を直に視認可能となっている。
【００２７】
また、図４には携帯電話機１００の開放した状態の他の例として、上側筐体１と下側筐体２とが重なる部分が皆無となるように構成された例を示す。すなわち、図４に示すように、上側筐体１をＸ方向にスライドさせると上側筐体１の短手方向（Ｘ方向）の端部が、下側筐体２の短手方向の端部から一旦離れた後、上側筐体１の短手方向の端部と、下側筐体２の短手方向の端部とが重ならないように上側筐体１と下側筐体２との位置関係を定めるスライド機構の採用も可能である。これにより、上側筐体１の第１の面１ａと下側筐体２の第１の面２ａとが同一平面となる。
【００２８】
＜携帯電話機の電気的構成＞
図５は本実施の形態に係る携帯電話機１００の電気的な構成を示すブロック図である。図５に示されるように、携帯電話機１００は、制御部３０と、無線通信部３１と、上側表示部１１、下側表示部１２、音声出力部（スピーカ）２０、音声入力部（マイク）２１、上側タッチパネル２３、下側タッチパネル２４および動画像や静止画像などを撮像可能なカメラシステムを含む撮像部２５とを備えている。なお、制御部３０および無線通信部３１は、例えば下側筐体２内に収められている。
【００２９】
制御部３０は、ＣＰＵ３０ａおよび記憶部３０ｂ等を備えており、携帯電話機１００の他の構成要素を制御することによって、携帯電話機１００の動作を統括的に管理する。記憶部３０ｂは、ＲＯＭおよびＲＡＭ等で構成されている。制御部３０の各種機能は、ＣＰＵ３０ａが記憶部３０ｂ内の各種プログラムを実行することによって実現される。
【００３０】
無線通信部３１は、携帯電話機１００とは別の携帯電話機や、インターネットに接続されたＷｅｂサーバ等の通信装置からの無線信号をアンテナ３１ａで受信し、受信信号に対して増幅処理やダウンコンバートを行って制御部３０に出力する。また無線通信部３１は、制御部３０で生成された送信信号に対してアップコンバートや増幅処理を行って、処理後の送信信号をアンテナ３１ａを通じて、携帯電話機１００とは別の携帯電話機や、インターネットに接続された通信装置に対して無線送信する。
【００３１】
音声出力部２０は、制御部３０からの音声データを音声に変換して外部に出力する。音声入力部２１は、外部から入力される音声を音声データに変換して制御部３０に出力する。
【００３２】
上側表示部１１は、制御部３０によって制御されることによって、文字、記号、図形などの各種情報を上側表示面１１ａに表示する。また、上側タッチパネル２３および下側タッチパネル２４は、それぞれ上側表示部１１および下側表示部１２のタッチパネル機能を実現するための構成を表している。上側表示部１１は、上側タッチパネル２３を表側透過面１１ａに有しており、上側タッチパネル２３によるタッチパネル機能を介して、ユーザの指等の指示体による操作を検出して制御部３０に出力する。下側表示部１２は、下側タッチパネル２４をメイン表示面１２ａに有しており、下側タッチパネル２４によるタッチパネル機能を介して、ユーザの指等の指示体による操作を検出して制御部３０に出力する。
【００３３】
また、上側表示部１１および下側表示部１２は、撮像部２５によって撮像された動画像や静止画像を、制御部３０の制御によって表示するが、そのための画像データを記憶する表示用メモリ１１１および１２１をそれぞれ備えている。表示用メモリ１１１および１２１は、ＶＲＡＭ（Video RAM）などのメモリで構成することができる。
【００３４】
上側表示部１１は、先に説明したように、液晶パネルに対面する部分にバックライトや反射材などを有さないので、遮るものがなく、透明な状態を保っているが、所定の電気信号により所定の画素を光が不透過な状態にすることで、画像等の表示が可能となる。なお、バックライトの代わりに、上側表示部１１の側面に対応する部分の上側筐体１内にＬＥＤなどの光源を置いて上側表示部１１を側面から照らすようにすることで、携帯電話機１００を開放した状態でも、上側表示部１１単独での画像表示が可能となる。
【００３５】
なお、上側表示部１１および下側表示部１２を、液晶表示装置以外の非自発光型表示装置で構成しても良い。
【００３６】
＜携帯電話機での画像表示例＞
次に、図６および図７を用いて、携帯電話機１００における上側表示部１１および下側表示部１２での画像表示例について説明する。
【００３７】
図６は、閉じた状態の携帯電話機１００において、上側表示部１１を透過して、下側表示部１２の画像が見えている状態を示している。すなわち、携帯電話機１００を閉じた状態で、写真（あるいは動画）の撮像機能を用いて被写体を撮像した場合、撮像画像は下側表示部１２のメイン表示面１２ａに表示されるが、上側表示部１１は透明であるので、上側表示部１１側から見た場合、下側表示部１２のメイン表示面１２ａに表示された撮像画像は、上側表示部１１を透過して視認することができる。
【００３８】
例えば、このとき、メイン表示面１２ａには被写体像ＯＪの一部しか表示されていないとすると、携帯電話機１００を開放することにより表示領域が広がることで、図７に示すように、被写体像ＯＪの全体を、上側表示部１１および下側表示部１２で合わせて表示することができる。
【００３９】
すなわち、図７においては、上側表示部１１には、被写体像ＯＪの上半分が表示され、下側表示部１２には被写体像ＯＪの下半分を表示されることで、被写体像ＯＪの全体を表示することも可能となる。
【００４０】
＜画像合成機能の使用形態＞
以下、上述した携帯電話機１００における画像合成機能の使用形態について、図８〜図２１を用いて説明する。
【００４１】
＜第１の使用形態＞
図８は、第１の使用形態を説明するフローチャートであり、画像合成機能の基本的な使用形態を示している。
【００４２】
携帯電話機１００を閉じた状態でカメラ機能のスイッチを入れ、撮像動作を開始すると、メインディスプレイ１２のメイン表示面１２ａに撮像画像が表示される（ステップＳ１）。この場合、携帯電話機１００は閉じているが、メイン表示面１２ａに表示された撮像画像は、透明ディスプレイ１１を透過して視認することができる。
【００４３】
この状態で、ユーザがタッチパネル機能を有する透明ディスプレイ１１に、指等の指示体によって文字や記号、あるいは図形などを手書きで入力したり、あるいはテンプレート等の電子画像をパネル操作で読み出して入力する。すなわち、ユーザがメイン表示面１２ａに表示された撮像画像上に上書きするように文字や図形等を透明ディスプレイ１１上に入力する（ステップＳ２）。
【００４４】
この状態を図９に模式的に示す。図９に示すように、透明ディスプレイ１１を透過して視認される被写体像ＯＪの上に、透明ディスプレイ１１上で入力された上書き画像ＯＷが重ねられている。この状態では、被写体像ＯＪと上書き画像ＯＷとは画像合成処理されていないが、上側表示部１１側から見ると、被写体像ＯＪと上書き画像ＯＷとが１つの画面上に合成された合成画像のように見える。このような状態を、以後、「擬似的に合成した状態」と呼称する。
【００４５】
次に、レイアウトが確定し、携帯電話機１００を開放すると（ステップＳ３）、そのときの被写体像ＯＪと上書き画像ＯＷとが制御部３０（図５）によって画像合成処理され、合成画像が透明ディスプレイ１１上に表示される（ステップＳ４）。なお、携帯電話機１００を開放しない場合は、被写体像ＯＪ、上書き画像ＯＷは確定していない。このため、携帯電話機１００を開放した状態とする動作は、被写体像ＯＪおよび上書き画像ＯＷを確定して合成するという意味で、シャッター動作に相当する。
【００４６】
この状態を図１０に模式的に示す。図１０に示すように、透明ディスプレイ１１上には、画像合成処理された被写体像ＯＪおよび上書き画像ＯＷが表示され、メインディスプレイ１２のメイン表示面１２ａには、リアルタイムの被写体像ＯＪが表示されている。
【００４７】
次に、ユーザによる、透明ディスプレイ１１およびメインディスプレイ１２からのタッチ入力による保存指示、あるいは上側筐体１または下側筐体２に設けられたハードキーなどで構成される操作部からの入力による保存指示に基づいて、制御部３０は、透明ディスプレイ１１上に表示された合成画像を所定のメモリ等に保存する（ステップＳ５）。その後は、ステップＳ６で、携帯電話機１００を閉じた状態とするまで合成画像の表示を維持し、携帯電話機１００を閉じることで透明ディスプレイ１１上の合成画像が消去され（ステップＳ７）、ステップＳ１の状態に戻る。
【００４８】
このように、第１の使用形態においては、ユーザが携帯電話機１００を閉じた状態で撮像を行い、メイン表示面１２ａに表示された撮像画像を透明ディスプレイ１１を介して視認しながら、透明ディスプレイ１１から文字や記号や図形等の上書き画像を入力する。これにより、撮像画像と上書き画像とを擬似的に合成した状態とする。この段階では画像合成処理は行わないので、撮像画像が刻々と更新される場合でも、その都度に画像合成処理を行う必要がなく、画像合成処理のための演算処理の回数を削減できる。これにより、制御部３０のＣＰＵ３０ａ（図５）での処理負担を軽減できる。これは、上書き画像が刻々と変化する場合でも同様である。
【００４９】
＜第２の使用形態＞
図１１は、第２の使用形態を説明するフローチャートであり、画像合成機能の変形例的な使用形態を示している。
【００５０】
携帯電話機１００を閉じた状態でカメラ機能のスイッチを入れ、撮像動作を開始すると、メインディスプレイ１２のメイン表示面１２ａに撮像画像が表示される（ステップＳ１１）。この場合、携帯電話機１００は閉じているが、メイン表示面１２ａに表示された撮像画像は、透明ディスプレイ１１を透過して視認することができる。
【００５１】
この状態で、ユーザが、タッチパネル機能を有する透明ディスプレイ１１に、指等の指示体によって文字や記号、あるいは図形などを手書きで入力、あるいはテンプレート等の電子画像をパネル操作で読み出して入力する。すなわち、ユーザがメイン表示面１２ａに表示された撮像画像上に上書きするように文字や図形等を透明ディスプレイ１１上に入力する（ステップＳ１２）。この状態は、第１の使用形態で説明した図９の状態である。
【００５２】
次に、レイアウトが確定し、携帯電話機１００を開放すると（ステップＳ１３）、そのときの被写体像ＯＪと上書き画像ＯＷとが制御部３０（図５）によって画像合成処理され、合成画像が透明ディスプレイ１１上に表示される（ステップＳ１４）。なお、携帯電話機１００を開放しない場合は、被写体像ＯＪおよび上書き画像ＯＷは確定していない。このため、携帯電話機１００を開放した状態とする動作は、被写体像ＯＪおよび上書き画像ＯＷを確定して合成するという意味で、シャッター動作に相当する。この状態は、第１の使用形態で説明した図１０の状態である。
【００５３】
この段階で、携帯電話機１００を閉じると（ステップＳ１５）、制御部３０は、透明ディスプレイ１１上に表示された合成画像を保存するか否かの判断をユーザに求め（ステップＳ１６）、ユーザが合成画像の保存を選択した場合には、合成画像を所定のメモリ等に保存した後、透明ディスプレイ１１上の合成画像を消去し（ステップＳ１７）、ステップＳ１の状態に戻る。
【００５４】
一方、ステップＳ１６において、ユーザが合成画像を保存しないことを選択した場合には、次に、制御部３０は、ユーザに、透明ディスプレイ１１上の合成画像を消去するか否かの判断を求め（ステップＳ１８）、ユーザが消去を選択する場合はステップＳ１７に進み、ユーザが消去しないことを選択した場合は、制御部３０は、透明ディスプレイ１１上から撮像画像（被写体像ＯＪ）を消去し、上書き画像ＯＷのみを残して継続入力可能な状態とし、ステップＳ１１の状態に戻る。
【００５５】
このように、第２の使用形態においては、ユーザが携帯電話機１００を閉じた状態で撮像を行い、メイン表示面１２ａに表示された撮像画像を透明ディスプレイ１１を通して視認しながら、透明ディスプレイ１１から文字や記号や図形等の上書き画像を入力することで、撮像画像と上書き画像とを擬似的に合成した状態とする。この段階では、画像合成処理は行わないという点では第１の使用形態と同じであるが、合成画像を保存せずに携帯電話機１００を閉じるという選択が可能である。
【００５６】
すなわち、携帯電話機１００の開放により画像合成処理を行った後、上書き画像ＯＷや被写体像ＯＪを変更したいと思ったユーザは、再び携帯電話機１００を閉じ、合成画像を保存せずにステップＳ１１の動作に戻ることができる。
【００５７】
従って、得られた合成画像がユーザの気に入らないような場合は、その画像を保存しない選択をすることで、不要な画像でメモリを消費するということを防止できる。また、合成画像を保存しない場合、透明ディスプレイ１１上から撮像画像（被写体像ＯＪ）を消去し、上書き画像ＯＷのみを残して継続入力可能な状態とすることもできるので、上書き画像ＯＷの追加や変更が可能であるとともに、上書き画像ＯＷはそのままで、撮像画像のみ変更するという操作も可能となる。
【００５８】
＜第３の使用形態＞
図１２は、第３の使用形態を説明するフローチャートであり、第１の使用形態で説明した基本的な使用形態とは異なる使用形態を示している。
【００５９】
携帯電話機１００を閉じた状態でカメラ機能のスイッチを入れ、撮像動作を開始すると、メインディスプレイ１２のメイン表示面１２ａに撮像画像が表示される（ステップＳ２１）。この場合、携帯電話機１００は閉じているが、メイン表示面１２ａに表示された撮像画像は、透明ディスプレイ１１を透過して視認することができる。
【００６０】
この状態を図１３に模式的に示す。図１３に示すように、透明ディスプレイ１１を透過して被写体像ＯＪが視認される。
【００６１】
この状態から携帯電話機１００を開放すると（ステップＳ２２）、制御部３０（図５）によってメイン表示面１２ａに表示された撮像画像が透明ディスプレイ１１にも表示される（ステップＳ２３）。なお、携帯電話機１００が閉じた状態のままだと、ステップＳ２１の状態を維持する。
【００６２】
この状態を図１４に模式的に示す。図１４に示すように、メイン表示面１２ａに表示された被写体像ＯＪと同じものが、表側透過面１１ａにも表示される。この場合、何れの被写体像ＯＪもリアルタイムの映像である。
【００６３】
この状態で、ユーザがタッチパネル機能を有する透明ディスプレイ１１に、指等の指示体によって文字や記号、あるいは図形などを手書きで入力、あるいはテンプレート等の電子画像をパネル操作で読み出して入力する（ステップＳ２４）。
【００６４】
この状態を図１５に模式的に示す。図１５に示すように、透明ディスプレイ１１上には、リアルタイムの被写体像ＯＪおよび上書き画像ＯＷが合成画像として表示され、メインディスプレイ１２のメイン表示面１２ａには、リアルタイムの被写体像ＯＪのみが表示されている。
【００６５】
次に、レイアウトが確定し、ユーザがシャッターボタンＢＴを押すと（ステップＳ２５）、そのときの被写体像ＯＪと上書き画像ＯＷとの合成画像が確定し、確定した合成画像が制御部３０によって透明ディスプレイ１１上に表示される（ステップＳ２６）。
【００６６】
次に、ユーザによる、透明ディスプレイ１１およびメインディスプレイ１２からのタッチ入力による保存指示、あるいは上側筐体１または下側筐体２に設けられたハードキーなどで構成される操作部からの入力による保存指示に基づいて、制御部３０は、透明ディスプレイ１１上に表示された合成画像を所定のメモリ等に保存する（ステップＳ２７）。その後は、ステップＳ２８で、携帯電話機１００を閉じた状態とするまで合成画像の表示を維持し、携帯電話機１００を閉じることで透明ディスプレイ１１上の合成画像が消去され（ステップＳ２９）、ステップＳ２１の状態に戻る。
【００６７】
このように、第３の使用形態においては、携帯電話機１００を開放した状態で透明ディスプレイ１１上にリアルタイムの被写体像ＯＪを表示し、ユーザがそれを見ながら透明ディスプレイ１１上において文字や記号や図形等の上書き画像を入力する構成を採っている。これにより、例えば、透明ディスプレイ１１上では被写体像ＯＪが確認できないほど上書き画像が入力されていても、ユーザは、メインディスプレイ１２上の被写体像ＯＪを見ながら上書き画像を入力することができるので、ユーザにとっての使い勝手が良くなる。
【００６８】
＜第４の使用形態＞
図１６は、第４の使用形態を説明するフローチャートであり、第３の使用形態の変形例的な使用形態を示している。
【００６９】
携帯電話機１００を閉じた状態でカメラ機能のスイッチを入れ、撮像動作を開始すると、メインディスプレイ１２のメイン表示面１２ａに撮像画像が表示される（ステップＳ３１）。この場合、携帯電話機１００は閉じているが、メイン表示面１２ａに表示された撮像画像は、透明ディスプレイ１１を透過して視認することができる。この状態は、第３の使用形態で説明した図１３の状態である。
【００７０】
この状態から携帯電話機１００を開放すると（ステップＳ３２）、制御部３０（図５）によってメイン表示面１２ａに表示された撮像画像が透明ディスプレイ１１にも表示される（ステップＳ３３）。この状態は、第３の使用形態で説明した図１４の状態である。なお、携帯電話機１００が閉じた状態のままだと、ステップＳ３１の状態を維持する。
【００７１】
この状態で、ユーザがタッチパネル機能を有する透明ディスプレイ１１に、指等の指示体によって文字や記号、あるいは図形などを手書きで入力、あるいはテンプレート等の電子画像をパネル操作で読み出して入力する（ステップＳ３４）。この状態は、第３の使用形態で説明した図１５の状態である。
【００７２】
次に、レイアウトが確定し、ユーザがシャッターボタンＢＴを押すと（ステップＳ３５）、そのときの被写体像ＯＪと上書き画像ＯＷとの合成画像が確定し、確定した合成画像が制御部３０によって透明ディスプレイ１１上に表示される（ステップＳ３６）。
【００７３】
次に、ユーザによる、透明ディスプレイ１１およびメインディスプレイ１２からのタッチ入力による保存指示、あるいは上側筐体１または下側筐体２に設けられたハードキーなどで構成される操作部からの入力による保存指示に基づいて、制御部３０は、透明ディスプレイ１１上に表示された合成画像を所定のメモリ等に保存する（ステップＳ３７）。その後に、ユーザが保存された合成画像を再確認したところ、ユーザの気に入らない箇所が見つかったような場合には、ユーザの消去指示に基づいて保存した合成画像をキャンセル（消去）する（ステップＳ３８）。
【００７４】
この状態では、メイン表示面１２ａに表示された撮像画像が透明ディスプレイ１１にも表示されているが、この撮像画像は、先にキャンセルした合成画像の被写体像ＯＪに近い撮影条件での撮像画像であるので、早急に確定して取り込みたい画像の可能性が高い。
【００７５】
このような場合、シャッターボタンＢＴを押して撮像画像を所定のメモリ等に取り込むと（ステップＳ３９）、取り込んだ撮像画像は、制御部３０によって読み出され透明ディスプレイ１１上に表示される（ステップＳ４０）。
【００７６】
この状態で、ユーザがタッチパネル機能を有する透明ディスプレイ１１に、指等の指示体によって文字や記号、あるいは図形などを手書きで入力、あるいはテンプレート等の電子画像をパネル操作で読み出して入力することで、透明ディスプレイ１１上には、取り込んだ画像の被写体像ＯＪおよび上書き画像ＯＷが合成画像として表示される（ステップＳ４１）。なお、メインディスプレイ１２のメイン表示面１２ａには、リアルタイムの被写体像ＯＪが表示されている。
【００７７】
次に、ユーザによる、透明ディスプレイ１１およびメインディスプレイ１２からのタッチ入力による保存指示、あるいは上側筐体１または下側筐体２に設けられたハードキーなどで構成される操作部からの入力による保存指示に基づいて、制御部３０は、透明ディスプレイ１１上に表示された合成画像を所定のメモリ等に保存する（ステップＳ４２）。その後は、ステップＳ４３で、携帯電話機１００を閉じた状態とするまで合成画像の表示を維持し、携帯電話機１００を閉じることで透明ディスプレイ１１上の合成画像が消去され（ステップＳ４４）、ステップＳ３１の状態に戻る。
【００７８】
このように、第４の使用形態においては、携帯電話機１００を開放した状態で透明ディスプレイ１１上にリアルタイムの被写体像ＯＪを表示し、ユーザがそれを見ながら透明ディスプレイ１１から文字や記号や図形等の上書き画像を入力するという点では第３の使用形態と同じである。これに加えて、一旦保存した合成画像をキャンセルし、連続して合成画像を作成したい場合には、シャッターボタンＢＴを押して撮像画像を取り込むことで、取り込んだ撮像画像を透明ディスプレイ１１に表示し、当該撮像画像に対して上書きを行う構成としている。従って、上書き中に撮像画像は変化しないので、上書き画像との画像合成処理のための制御部３０のＣＰＵ３０ａ（図５）での演算処理の負担を軽減することができる。
【００７９】
＜第５の使用形態＞
図１７は、第５の使用形態を説明するフローチャートであり、第１の使用形態で説明した基本的な使用形態とは異なる使用形態を示している。
【００８０】
携帯電話機１００を閉じた状態でカメラ機能のスイッチを入れ、撮像動作を開始すると、メインディスプレイ１２のメイン表示面１２ａに撮像画像が表示される（ステップＳ５１）。この場合、携帯電話機１００は閉じているが、メイン表示面１２ａに表示された撮像画像は、透明ディスプレイ１１を透過して視認することができる。この状態は、第３の使用形態で説明した図１３の状態である。
【００８１】
この状態でシャッターボタンＢＴを押して、撮像画像を所定のメモリ等に取り込むと（ステップＳ５２）、取り込んだ撮像画像は、制御部３０によって読み出され透明ディスプレイ１１上に表示される（ステップＳ３）。
【００８２】
この状態で、ユーザがタッチパネル機能を有する透明ディスプレイ１１に、指等の指示体によって文字や記号、あるいは図形などを手書きで入力、あるいはテンプレート等の電子画像をパネル操作で読み出して入力する（ステップＳ５４）。
【００８３】
すなわち、透明ディスプレイ１１に表示された撮像画像上に上書きするように文字や図形等を入力することで、透明ディスプレイ１１上には、取り込んだ画像の被写体像ＯＪおよび上書き画像ＯＷが合成画像として表示される。
【００８４】
この状態から携帯電話機１００を開放すると（ステップＳ５５）、その合成画像が透明ディスプレイ１１上に表示される（ステップＳ５６）。なお、携帯電話機１００を開放しない場合は、上書き画像ＯＷの変更、追加が可能な状態を維持する。
【００８５】
次に、ユーザによる、透明ディスプレイ１１およびメインディスプレイ１２からのタッチ入力による保存指示、あるいは上側筐体１または下側筐体２に設けられたハードキーなどで構成される操作部からの入力による保存指示に基づいて、制御部３０は、透明ディスプレイ１１上に表示された合成画像を所定のメモリ等に保存する（ステップＳ５７）。その後は、ステップＳ５８で、携帯電話機１００を閉じた状態とするまで合成画像の表示を維持し、携帯電話機１００を閉じることで透明ディスプレイ１１上の合成画像が消去され（ステップＳ５９）、ステップＳ５１の状態に戻る。
【００８６】
このように、第５の使用形態においては、携帯電話機１００を閉じた状態で撮像を行い、シャッター動作により撮像画像を取り込むとともに、取り込んだ撮像画像を透明ディスプレイ１１上に表示し、当該撮像画像に対して上書きを行う構成としている。このため、上書き中に撮像画像は変化しないので、上書き画像との画像合成処理のための制御部３０のＣＰＵ３０ａ（図５）での演算処理の負担を軽減することができる。
【００８７】
＜第６の使用形態＞
図１８は、第６の使用形態を説明するフローチャートであり、第１の使用形態で説明した基本的な使用形態とは異なる使用形態を示している。
【００８８】
携帯電話機１００を開放した状態でカメラ機能のスイッチを入れ、撮像動作を開始すると、メインディスプレイ１２のメイン表示面１２ａに撮像画像が表示される（ステップＳ６１）。この場合、撮像画像は透明ディスプレイ１１には表示されない。
【００８９】
この状態を図１９に模式的に示す。図１９に示すように、メインディスプレイ１２のメイン表示面１２ａにはリアルタイムの被写体像ＯＪが表示され、透明ディスプレイ１１上には何も表示されていない。この場合、透明ディスプレイ１１の裏側透過面１１ｂおよび表側透過面１１ａを透過して被写体が視認できるが、図示は省略している。
【００９０】
この状態で、ユーザがタッチパネル機能を有する透明ディスプレイ１１に、指等の指示体によって文字や記号、あるいは図形などを手書きで入力、あるいはテンプレート等の電子画像をパネル操作で読み出して入力する（ステップＳ６２）。
【００９１】
すなわち、メイン表示面１２ａに表示された撮像画像を見ながら上書き画像を入力すると、透明ディスプレイ１１には上書き画像のみが表示される。
【００９２】
この状態を図２０に模式的に示す。図２０に示すように、透明ディスプレイ１１の表側透過面１１ａには、上書き画像ＯＷのみが表示され、メインディスプレイ１２のメイン表示面１２ａにはリアルタイムの被写体像ＯＪのみが表示されている。
【００９３】
次に、レイアウトが確定し、ユーザがシャッターボタンＢＴを押すと（ステップＳ６３）、そのときの被写体像ＯＪと上書き画像ＯＷとが合成され、その合成画像が制御部３０によって透明ディスプレイ１１上に表示される（ステップＳ６４）。この状態を図２１に模式的に示す。
【００９４】
次に、ユーザによる、透明ディスプレイ１１およびメインディスプレイ１２からのタッチ入力による保存指示、あるいは上側筐体１または下側筐体２に設けられたハードキーなどで構成される操作部からの入力による保存指示に基づいて、制御部３０は、透明ディスプレイ１１上に表示された合成画像を所定のメモリ等に保存する（ステップＳ６５）。その後は、ステップＳ６６で、携帯電話機１００を閉じた状態とするまで合成画像の表示を維持し、携帯電話機１００を閉じることで透明ディスプレイ１１上の合成画像が消去される（ステップＳ６７）。
【００９５】
その後、携帯電話機１００を再び開放することで（ステップＳ６８）、ステップＳ６１の状態に戻る。
【００９６】
このように、第６の使用形態においては、携帯電話機１００を開いた状態で撮像を行うが、この段階では透明ディスプレイ１１には表示されず、メイン表示面１２ａに表示された撮像画像を見ながら上書き画像ＯＷを入力する構成となっている。そして、レイアウトが確定した段階で、シャッターボタンＢＴを押すことで、そのときの被写体像ＯＪと上書き画像ＯＷとの画像合成処理を行い、その合成画像を透明ディスプレイ１１上に表示する構成としている。このため、刻々と更新される撮像画像に対しても。更新の都度に画像合成処理を行う必要がなく、画像合成処理のための演算処理が不要となり、制御部３０のＣＰＵ３０ａ（図５）での処理負担を軽減できる。これは、上書き画像が変化する場合でも同様である。
【００９７】
なお、以上説明した携帯電話機１００において使用した、透明ディスプレイ１１は、ノーマリホワイトモードの透過型の液晶パネルで構成しても良い。
【００９８】
＜変形例＞
以上説明した、第３および第４の使用形態では、携帯電話機１００を開放することで、メイン表示面１２ａに表示された撮像画像が透明ディスプレイ１１にも表示される構成を示した。しかし、携帯電話機１００を開放した時点では透明ディスプレイ１１には撮像画像は表示されない構成としても良い。この場合、メイン表示面１２ａに表示された撮像画像を見ながら透明ディスプレイ１１に上書き画像ＯＷを入力する構成を採ることができる。そして、レイアウトが確定した段階で、シャッターボタンＢＴを押すなどのタイミングで、そのときの被写体像ＯＪと上書き画像ＯＷとの画像合成処理を行い、得られた合成画像を透明ディスプレイ１１上に表示する構成としても良い。
【符号の説明】
【００９９】
１  上側筐体
２  下側筐体
１１  透明ディスプレイ
１１ａ  表側透過面
１１ｂ  裏側透過面
１２  メインディスプレイ
１２ａ  メイン表示面
【図１】
2011250165.tif 000003
【図２】
2011250165.tif 000004
【図３】
2011250165.tif 000005
【図４】
2011250165.tif 000006
【図５】
2011250165.tif 000007
【図６】
2011250165.tif 000008
【図７】
2011250165.tif 000009
【図８】
2011250165.tif 000010
【図９】
2011250165.tif 000011
【図１０】
2011250165.tif 000012
【図１１】
2011250165.tif 000013
【図１２】
2011250165.tif 000014
【図１３】
2011250165.tif 000015
【図１４】
2011250165.tif 000016
【図１５】
2011250165.tif 000017
【図１６】
2011250165.tif 000018
【図１７】
2011250165.tif 000019
【図１８】
2011250165.tif 000020
【図１９】
2011250165.tif 000021
【図２０】
2011250165.tif 000022
【図２１】
2011250165.tif 000023